(57)【要約】      （修正有）【課題】ユーザーが使用上のアドバイスに基づいて、入力ユニットを操作して診断・治療を行い、最も優れた効果を得ることができる双方向の診断・治療装置を提供する。【解決手段】双方向の診断・治療装置は、電源ユニット１０と、高電圧診断・治療ユニット２０と、入力ユニット３０と、マイクロプロセッサ４０と、信号変換ユニット５０と、信号伝送ユニット６０と、スマートデバイス８０と、血圧測定デバイス９０とを含む。スマートデバイスは、信号伝送ユニットに接続して高電圧診断・治療ユニットの診断・治療信号を取得し、血圧測定デバイスに接続して測定信号を取得し、診断・治療信号を処理するアプリケーションソフトウェアを有し、測定信号に基づいて血圧を表示するとともに、アプリケーションソフトウェアは血圧と診断・治療信号とに基づいて入力ユニットに関する使用上のアドバイスを提供する。【選択図】図３
0003235050.tif 000002
【実用新案登録請求の範囲】
【請求項１】
外部電圧を所定の電圧に変換する電源ユニットと、
電子発振器と、２つの出力端子と、診断・治療信号を検知する電極群とを有し、前記電子発振器は前記所定の電圧を入力して発振電流を生成させることができ、前記発振電流が前記２つの出力端子から出力され、前記電極群は２つの出力部位を有し、前記２つの出力部位は前記２つの出力端子にそれぞれ接続される高電圧診断・治療ユニットと、
操作命令が入力される入力ユニットと、
前記電源ユニット、前記入力ユニット及び前記高電圧診断・治療ユニットに接続され、前記操作命令に基づいて前記高電圧診断・治療ユニットの動作を制御するマイクロプロセッサと、
前記高電圧診断・治療ユニットに接続され、且つ前記高電圧診断・治療ユニットの前記診断・治療信号をデジタルデータに変換する信号変換ユニットと、
前記信号変換ユニットに接続されて前記診断・治療信号を伝送する信号伝送ユニットと、
前記信号伝送ユニットに接続されて前記診断・治療信号を受信し、前記診断・治療信号を処理する対応のアプリケーションソフトウェアを有するスマートデバイスと、
腕帯と、測定信号を検知する圧力センサーと、前記測定信号をデジタルデータに変換する信号変換器と、前記測定信号を伝送する信号伝送器とを有し、前記スマートデバイスは前記信号伝送器に接続されて前記測定信号を受信し、前記スマートデバイスが前記測定信号に基づいて前記スマートデバイスに対応の血圧を表示するとともに、前記アプリケーションソフトウェアは前記血圧と前記診断・治療信号とに基づいて前記入力ユニットに関する使用上のアドバイスを提供する血圧測定デバイスとを含むことを特徴とする接続させて血圧を測定できる双方向の診断・治療装置。
【請求項２】
前記外部電圧は電池、電源変圧器のいずれかであることを特徴とする請求項１に記載の双方向の診断・治療装置。
【請求項３】
前記マイクロプロセッサに接続される表示ユニットをさらに含むことを特徴とする請求項１に記載の双方向の診断・治療装置。
【請求項４】
前記電源ユニット、前記入力ユニット、前記マイクロプロセッサ、前記信号変換ユニット、前記信号伝送ユニット、前記高電圧診断・治療ユニットの前記電子発振器及び前記表示ユニットが共にハウジング内に設けられることを特徴とする請求項３に記載の双方向の診断・治療装置。
【請求項５】
前記電源ユニット、前記高電圧診断・治療ユニットの前記電子発振器、前記入力ユニット、前記マイクロプロセッサ、前記信号変換ユニット、前記信号伝送ユニット及び前記表示ユニットが共に前記スマートデバイス内に設けられることを特徴とする請求項３に記載の双方向の診断・治療装置。
【請求項６】
前記電源ユニットには電圧安定化回路がさらに設けられることを特徴とする請求項１に記載の双方向の診断・治療装置。
【請求項７】
前記入力ユニットは電源スイッチと、増加ボタンと、減少ボタンと、時間設定ボタンと、診察ボタンと、治療ボタンとを含み、前記診察ボタンによって前記高電圧診断・治療ユニットは診察のための特定の強度の出力を提供し、前記治療ボタンによって前記高電圧診断・治療ユニットは治療のための特定の強度の出力を提供することを特徴とする請求項１に記載の双方向の診断・治療装置。
【請求項８】
前記電極群の前記２つの出力部位は導電性棒材と導電性パッチ、導電性棒材と導電性耳介パッチ、２つの導電性パッチのうちのいずれかの組み合わせで、且つ前記導電性棒材の前端は導電性磁性材料からなる電極であり、前記電極の裏面に複数の磁石が設けられて、前記出力端子から出力される前記発振電流が前記複数の磁石によって電磁波に変換され、前記電磁波は前記電極に伝達されることを特徴とする請求項１に記載の双方向の診断・治療装置。
【請求項９】
前記スマートデバイスにはクラウドデータベースがさらに接続されることを特徴とする請求項１に記載の双方向の診断・治療装置。
【請求項１０】
前記スマートデバイスはスマートフォン、タブレットコンピュータのいずれかであることを特徴とする請求項１に記載の双方向の診断・治療装置。
【考案の詳細な説明】
【技術分野】
【０００１】
本考案は、電子医療機器に関し、特に、高電圧の出力で両手及び他の部位における任意のツボを電磁的に刺激する電子医療機器に関する。
【背景技術】
【０００２】
図１及び図２が参照されるとおり、手と足には人体の様々な臓器又は器官に対応するツボが分布し、これらは一般にツボ誘導反射領域１という。例えば、坐骨神経に効くツボ２、風邪の改善に効くツボ３などである。漢方医学の理論によれば、鍼灸で人体の各部位のツボを刺激して、様々な疾患を治療又は緩和できる。鍼灸は一般的に利用され、多くの人々に受け入れられるようになっているが、侵襲的な治療であるため、医師が実施しなければならず、しかも針は多くの患者に繰り返し使用されるため、消毒が不完全であったり、保管の時に汚染される場合には、感染が起こる恐れがある。
【０００３】
特許文献１は上記の実情に鑑みてなされたもので、スマートフォンによって電子鍼灸を制御する機能を備える装置を開示し、電子鍼灸制御部品を利用して電子鍼灸装置の動作を制御して、人体の様々な部位のツボに鍼灸を行うものである。当該電子鍼灸制御部品の操作と表示画面は、スマートフォンのタッチスクリーンにまとめて表示され、当該スマートフォンのタッチスクリーンに人体のツボ位置図と鍼灸施術の説明を表示することで、ユーザーはスマートフォンを介する制御で鍼灸を施すことができる。
【０００４】
当該電子鍼灸装置は専門の知識を持たないユーザーでも使用できるが、どのくらい鍼灸を行うべきかは正しく判断できず、人体のツボ位置図と鍼灸施術の説明が提供されたにも関わらず、鍼灸時間の過不足が常に問題になるため、健康に悪影響を及ぼす恐れがある。
【先行技術文献】
【特許文献】
【０００５】
【特許文献１】台湾実用新案第Ｍ５０７２７７号
【考案の概要】
【考案が解決しようとする課題】
【０００６】
本考案は上記の実情に鑑みてなされたもので、主な目的は接続させて血圧を測定できる双方向の診断・治療装置を提供することである。ユーザーは血圧を知れるだけでなく、アプリケーションソフトウェアのアドバイスに基づいて、高電圧診断・治療ユニットを制御して診断・治療を正しく行わせることができる。
【課題を解決するための手段】
【０００７】
本考案は、電源ユニットと、高電圧診断・治療ユニットと、入力ユニットと、マイクロプロセッサと、信号変換ユニットと、信号伝送ユニットと、スマートデバイスと、血圧測定デバイスとを含む、接続させて血圧を測定できる双方向の診断・治療装置であり、当該電源ユニットは外部電圧を所定の電圧に変換して、各ユニットに必要な電力を供給する。当該高電圧診断・治療ユニットは電子発振器と、２つの出力端子と、診断・治療信号を検知する電極群とを有し、当該電子発振器は当該所定の電圧を入力して発振電流を生成させることができ、当該発振電流が当該２つの出力端子から出力され、当該電極群は２つの出力部位を有し、当該２つの出力部位は当該２つの出力端子にそれぞれ接続される。当該入力ユニットには操作命令が入力される。当該マイクロプロセッサは当該電源ユニット、当該入力ユニット及び当該高電圧診断・治療ユニットに接続され、且つ当該操作命令に基づいて当該高電圧診断・治療ユニットの動作を制御する。当該信号変換ユニットは当該高電圧診断・治療ユニットに接続され、且つ当該高電圧診断・治療ユニットの当該診断・治療信号をデジタルデータに変換する。当該信号伝送ユニットは当該信号変換ユニットに接続されて当該診断・治療信号を伝送する。当該スマートデバイスは当該信号伝送ユニットに接続されて当該診断・治療信号を受信し、且つ当該診断・治療信号を処理する対応のアプリケーションソフトウェアを有し、当該血圧測定デバイスは腕帯と、測定信号を検知する圧力センサーと、当該測定信号をデジタルデータに変換する信号変換器と、当該測定信号を伝送する信号伝送器とを有し、当該スマートデバイスは当該信号伝送器に接続されて当該測定信号を受信し、当該スマートデバイスが当該測定信号に基づいて当該スマートデバイスに対応の血圧を表示するとともに、当該アプリケーションソフトウェアは当該血圧と当該診断・治療信号とに基づいて当該入力ユニットに関する使用上のアドバイスを提供する。これによりユーザーは当該使用上のアドバイスに基づいて、当該入力ユニットによって当該高電圧診断・治療ユニットを制御して診断・治療を行わせることができる。
【考案の効果】
【０００８】
ユーザーは血圧を知れるため、使用上のアドバイスに基づいて安心して診断・治療を行うことができ、しかもアプリケーションソフトウェアが更新されているため、最新の医学知識に基づいて使用上のアドバイスを提供することで、ユーザーは最新で最も正しい方法で診断・治療を行って、最も優れた診断・治療効果を得ることができる。
【図面の簡単な説明】
【０００９】
【図１】図１は手の甲のツボ誘導反射領域の模式図である。
【図２】図２は足の裏のツボ誘導反射領域の模式図である。
【図３】図３は本考案の一実施例の機能ブロック図である。
【図４】図４は本考案の一実施例の構造外観図である。
【図５】図５は本考案に係る高電圧診断・治療ユニットの機能ブロック図である。
【図６】図６は本考案に係る電子発振器の回路図である。
【図７】図７は本考案に係る電極群の別の実施形態の図である。
【図８】図８は本考案に係る電極群のもう１つの実施形態の図である。
【図９】図９は本考案に係る血圧測定デバイスの使用の模式図である。
【図１０】図１０は本考案の別の実施例の機能ブロック図である。
【図１１】図１１は本考案の別の実施例の構造外観図である。
【考案を実施するための形態】
【００１０】
次に、好ましい実施例を挙げ、図面と結び付けて説明する。
図３及び図４が参照されるとおり、本考案は電源ユニット１０と、高電圧診断・治療ユニット２０と、入力ユニット３０と、マイクロプロセッサ４０と、信号変換ユニット５０と、信号伝送ユニット６０と、表示ユニット７０と、スマートデバイス８０と、血圧測定デバイス９０とを含む、接続させて血圧を測定できる双方向の診断・治療装置である。電源ユニット１０は外部電圧１１を所定の電圧に変換して、当該所定の電圧で各ユニットに必要な電力を供給する。
【００１１】
また図５及び図６が参照されるとおり、高電圧診断・治療ユニット２０は電子発振器２１と、２つの出力端子２２と、診断・治療信号を検知する電極群２３とを有する。一実施例において、電源ユニット１０、入力ユニット３０、マイクロプロセッサ４０、信号変換ユニット５０、信号伝送ユニット６０、高電圧診断・治療ユニット２０の電子発振器２１及び表示ユニット７０が共にハウジング８２内に設けられる。
【００１２】
電子発振器２１は当該所定の電圧を入力して発振電流を生成させることができ、当該発振電流が２つの出力端子２２から出力される。実施上、外部電圧１１は電池１１１、電源変圧器１１２のいずれかであり、電池１１１の方は持ち運びやすく、電源変圧器１１２の方は持続的な電力供給を提供することができる。ハウジング８２は電源差込口１１３を有し、電源差込口１１３は電源プラグ１１４に電気的に接続され、電源プラグ１１４は電源コード１１６に接続され、電源コード１１６は商用周波数プラグ１１５に接続され、商用周波数プラグ１１５は商用周波数ソケット（不図示）から電力を取得する。さらに、回路の安全性を保証するためには、安定的な電圧供給を行うように、電源ユニット１０に電圧安定化回路１２が設けられてもよい。本考案では電池１１１から電源を得るか、電源変圧器１１２によって交流を直流に変えることで電源を得、電源を切り替えるスイッチＳ１及び発光ダイオードＬ１によって内部の動作が正常であるかどうかを表示し、且つ、複数の抵抗Ｒ１、Ｒ２、可変抵抗Ｒ３、Ｒ４、コンデンサＣ１、Ｃ２、Ｃ３、Ｃ４、トランジスタＶ１及び変圧器Ｔ１を経由して、電子発振器２１により電圧から当該発振電流を生成させて２つの出力端子２２から出力させる。
【００１３】
電極群２３は２つの出力部位２３６を有し、２つの出力部位２３６は導電性棒材２３１と導電性パッチ２３２の組み合わせで、且つ２つの出力端子２２にそれぞれ接続される。２つの出力端子２２はハウジング８２上の出力穴２２１及びコネクタ２２３、Ｙ字状の接続線２２２を介して導電性棒材２３１及び導電性パッチ２３２に接続され、導電性棒材２３１の前端は導電性磁性材料からなる電極２３３で、電極２３３の裏面には複数の磁石２３４が設けられて、出力端子２２から出力される当該発振電流が磁石２３４によって電磁波に変換され、当該電磁波は電極２３３に伝達されて、導電性棒材２３１の前端から出力される。
【００１４】
図７が参照されるとおり、電極群２３の２つの出力部位２３６は導電性棒材２３１と導電性耳介パッチ２３５の組み合わせであってもよく、これらも２つの出力端子２２にそれぞれ接続され、導電性耳介パッチ２３５は人体の耳に装着される。あるいは、図８が参照されるとおり、電極群２３の２つの出力部位２３６は少なくとも２つ（好ましくは２つから４つ）の導電性パッチ２３２の組み合わせであってもよく、これらも２つの出力端子２２にそれぞれ接続され、導電性パッチ２３２は人体に貼り付けられる。
【００１５】
入力ユニット３０には操作命令が入力される。一実施例において、図４が参照されるとおり、入力ユニット３０は電源スイッチ３１と、増加ボタン３２と、減少ボタン３３と、時間設定ボタン３４とを含み、高電圧診断・治療ユニット２０の動作を制御することができ、また、入力ユニット３０は診察ボタン３５と治療ボタン３６とをさらに含んでもよく、診察ボタン３５によって高電圧診断・治療ユニット２０は診察のための特定の強度の出力を提供し、治療ボタン３６によって高電圧診断・治療ユニット２０は治療のための特定の強度の出力を提供する。ユーザーはボタンを押圧して用途を切り替えることができ、診察モードで治療すべき部位を特定してから、治療モードに切り替えて治療を行うことができる。
【００１６】
マイクロプロセッサ４０は電源ユニット１０、高電圧診断・治療ユニット２０、表示ユニット７０及び入力ユニット３０に接続され、マイクロプロセッサ４０はシステム全体でコア的なもので、入力ユニット３０に入力される操作命令に基づいて当該高電圧診断・治療ユニットの動作を制御して、ユーザーの個別化したニーズを満たす。
【００１７】
信号変換ユニット５０は高電圧診断・治療ユニット２０に接続され、高電圧診断・治療ユニット２０の当該診断・治療信号をデジタルデータに変換し、信号伝送ユニット６０は信号変換ユニット５０に接続されて当該診断・治療信号を伝送する。表示ユニット７０は情報を表示してユーザーに確認させる。
【００１８】
さらに、スマートデバイス８０は信号伝送ユニット６０に接続されて当該診断・治療信号を受信する。信号伝送ユニット６０はＷＩ−ＦＩ（登録商標）、ブルートゥース（登録商標）などの無線通信コンポーネントであってもよく、スマートデバイス８０はスマートフォン、タブレットコンピュータなどであってもよく、且つスマートデバイス８０には当該診断・治療信号を処理し且つオンライン更新される対応のアプリケーションソフトウェアが搭載されている。
【００１９】
図４及び図９が参照されるとおり、血圧測定デバイス９０は腕帯９１と、測定信号を検知する圧力センサー９２、当該測定信号をデジタルデータに変換する信号変換器９３と、当該測定信号を伝送する信号伝送器９４とを有する。腕帯９１をユーザー９５の腕９６に巻きつければ、圧力センサー９２によって当該測定信号を検知することができ、当該測定信号は信号変換器９３によってデジタルデータに変換されると、信号伝送器９４を介して伝送される。なお、信号伝送器９４もＷＩ−ＦＩ（登録商標）、ブルートゥース（登録商標）などであってもよい。スマートデバイス８０は信号伝送器９４に接続されて当該測定信号を受信し、スマートデバイス８０が当該測定信号に基づいてスマートデバイス８０に対応の血圧を表示するとともに、当該アプリケーションソフトウェアは当該血圧と当該診断・治療信号とに基づいて入力ユニット３０に関する使用上のアドバイスを提供する。
【００２０】
ユーザーは当該使用上のアドバイスに基づいて、入力ユニット３０によって高電圧診断・治療ユニット２０を制御して診断・治療を行わせる。本考案ではアプリケーションソフトウェアがスマートデバイス８０にインストールされているため、スマートデバイス８０を通じて常に更新されることで最新のバージョンであり続け、ユーザーが受け取る当該使用上のアドバイスは最新で正しいものでる。また、本考案では診察モードを利用すれば、ユーザーは治療すべき部位を特定できるだけでなく、血圧を知れるため、安心して診断・治療を行って、最も優れた治療効果を得ることができる。
【００２１】
さらに、本考案ではスマートデバイス８０を加えることで用途が一層拡張される。例えば、スマートデバイス８０にクラウドデータベース８１が接続され、クラウドデータベース８１には診断及び治療に関する情報が記憶され、スマートデバイス８０によって診断及び治療に関する情報がクラウドデータベース８１にアップロードされることで、医療従事者がこれを監視して、健康が悪化する疑いがあったら、医療機関で検査を受けるようすぐにユーザーに知らせることで、ユーザーの健康状態を常に見守ることができる。
【００２２】
図１０及び図１１が参照されるとおり、一実施例において、電源ユニット１０、高電圧診断・治療ユニット２０の電子発振器２１、入力ユニット３０、マイクロプロセッサ４０、信号変換ユニット５０、信号伝送ユニット６０及び表示ユニット７０が共にスマートデバイス８０内に設けられる。つまり、スマートデバイス８０に２つの出力端子２２及び電極群２３を組み合わせて診断・治療を行うことができる。
【００２３】
上述したように、本考案ではユーザーは血圧を知れるため、安心して使用上のアドバイスに基づいて正しく診断・治療を行うことができ、且つ使用上のアドバイスを与えるアプリケーションソフトウェアがスマートデバイスにインストールされているため、アプリケーションソフトウェアが常にオンライン更新される。これにより常に最新の医学知識を踏まえて使用上のアドバイスを提供することで、ユーザーは最新で最も正しい方法で診断・治療を行って、最も優れた診断・治療効果を得ることができる。
【符号の説明】
【００２４】
１      ツボ誘導反射領域
２      坐骨神経に効くツボ
３      風邪の改善に効くツボ
１０    電源ユニット
１１    外部電圧
１１１  電池
１１２  電源変圧器
１１３  電源差込口
１１４  電源プラグ
１１５  商用周波数プラグ
１１６  電源コード
１２    電圧安定化回路
２０    高電圧診断・治療ユニット
２１    電子発振器
２２    ２つの出力端子
２２１  出力穴
２２２  接続線
２２３  コネクタ
２３    電極群
２３１  導電性棒材
２３２  導電性パッチ
２３３  電極
２３４  磁石
２３５  導電性耳介パッチ
２３６  出力部位
３０    入力ユニット
３１    電源スイッチ
３２    増加ボタン
３３    減少ボタン
３４    時間設定ボタン
３５    診察ボタン
３６    治療ボタン
４０    マイクロプロセッサ
５０    信号変換ユニット
６０    信号伝送ユニット
７０    表示ユニット
８０    スマートデバイス
８１    クラウドデータベース
９０    血圧測定デバイス
９１    腕帯
９２    圧力センサー
９３    信号変換器
９４    信号伝送器
９５    ユーザー
９６    腕
Ｃ１    コンデンサ
Ｃ２    コンデンサ
Ｃ３    コンデンサ
Ｃ４    コンデンサ
Ｌ１    発光ダイオード
Ｒ１    抵抗
Ｒ２    抵抗
Ｒ３    可変抵抗
Ｒ４    可変抵抗
Ｓ１    スイッチ
Ｔ１    変圧器
Ｖ１    トランジスタ
【図１】
0003235050.tif 000003
【図２】
0003235050.tif 000004
【図３】
0003235050.tif 000005
【図４】
0003235050.tif 000006
【図５】
0003235050.tif 000007
【図６】
0003235050.tif 000008
【図７】
0003235050.tif 000009
【図８】
0003235050.tif 000010
【図９】
0003235050.tif 000011
【図１０】
0003235050.tif 000012
【図１１】
0003235050.tif 000013